(57)【要約】【課題】床パネルの上下片側からの作業による締結を可能とすることで、床パネルの寸法上の自由度を向上できるとともに、作業の安全性を高めることができ、しかも、工期およびコストを抑制可能な床パネル締結構造を提供する。【解決手段】床パネル２０に挿通したボルト３０と、ボルト３０のネジ部３３にかみ合わされたナット３４とを用いて床パネル２０を建物の躯体としての床梁１２に締結する床パネル締結構造である。そして、床パネル２０を上下に貫通して形成され、ボルト３０のネジ部３３を貫通させるボルト貫通孔２１と、このボルト貫通孔２１の軸方向の一端にボルト３０の頭部３１を収容可能に形成された座堀穴２２と、を備え、座堀穴２２とボルト３０の頭部３１との間には、頭部３１の回転を規制する回転規制構造を備える床パネル締結構造とした。【選択図】図２
2020193496.tif 000002
【特許請求の範囲】
【請求項１】
頭部を上にして床パネルを貫通したボルトと、前記床パネルの下方に突出した前記ボルトのネジ部にかみ合わされたナットとを用いて前記床パネルを建物の躯体に締結する床パネル締結構造であって、
前記床パネルを上下に貫通して形成され、前記ネジ部を貫通させるボルト貫通孔と、このボルト貫通孔の上端で前記ボルトの前記頭部を収容可能に形成された座堀穴と、を備え、
前記座堀穴と前記頭部との間には、前記頭部の回転を規制する回転規制構造を備える床パネル締結構造。
【請求項２】
請求項１に記載の床パネル締結構造において、
前記回転規制構造は、前記ボルトの前記頭部に偏心して設けられた座金と、前記ボルト貫通孔に偏心して設けられた前記座堀穴と、から成り、かつ、前記座堀穴は、前記ネジ部を前記ボルト貫通孔に貫通させた状態で前記頭部および前記座金を収容可能であり、かつ、両偏心量は、前記ボルトの回転時に、前記座金の外周が前記座堀穴の内周に干渉して回転を規制可能に設定されている床パネル締結構造。
【請求項３】
請求項２に記載の床パネル締結構造において、
前記ボルト貫通孔および前記ボルトは、水平方向で前記躯体とは重ならない位置に設けられ、
前記ネジ部には、前記ナットの締結方向に隣接して固定プレートが装着され、
前記固定プレートは、前記ネジ部に沿って移動可能に形成され、かつ、前記躯体と係合可能な係合部を備えるとともに、前記係合部が前記躯体に係合する係合位置と、前記躯体に係合しない非係合位置とに、前記ネジ部を中心に回転可能に設けられている床パネル締結構造。
【請求項４】
請求項３に記載の床パネル締結構造を用いた床パネルボルト締結方法であって、
前記頭部および前記座金を前記座堀穴に配置して前記ボルトの前記ネジ部を前記床パネルの前記ボルト貫通孔に貫通させ、前記床パネルの下側に突出した前記ネジ部に前記固定プレートを装着した後、前記固定プレートの下側から前記ネジ部にナットを装着し、さらに、前記固定プレートを前記非係合位置に配置するステップと、
前記床パネルを、前記躯体の所定の設置位置に配置するステップと、
前記固定プレートを、前記床パネルの下側から前記ネジ部に対して前記係合位置に回転させ、さらに、前記ナットを締結方向に回転させて、前記座金の外周と前記座堀穴の内周とが干渉して前記頭部の回転を規制させながら締結し、前記床パネルを前記躯体に固定するステップと、
備える床パネルボルト締結方法。
【発明の詳細な説明】
【技術分野】
【０００１】
本発明は、床パネル締結構造および床パネルボルト締結方法に関する。
【背景技術】
【０００２】
従来、ボルトを用いて床梁に長手方向両端を固定するようにした床パネルは知られている（例えば、特許文献１参照）。この従来技術では、床梁に固定されたスタッドボルトを、床パネルの貫通穴に挿通させ、スタッドボルトにナットを締結して床パネルを床梁に固定するようにしている。
また、床パネルを床梁に固定するにあたり、スタッドボルトではなくボルトを床パネルの上方から貫通させて床梁に締結することも行われている。
【先行技術文献】
【特許文献】
【０００３】
【特許文献１】特開２００９−１０２８３２号公報
【発明の概要】
【発明が解決しようとする課題】
【０００４】
しかしながら、特許文献１のようにスタッドボルトを用いた場合は、床パネルに貫通して形成したボルト貫通孔に、床梁に起立状態で設けたスタッドボルトを貫通させるように床パネルを運搬するのが難しいとともに、手間を要する。すなわち、床パネルを、建物の床梁上に運搬する際、床パネルにワイヤなどにより紐掛けし、吊上装置により吊り上げて運搬するのが一般的である。この場合、床パネルに掛けた紐を外すための隙間が必要なため、スタッドボルトをボルト貫通孔に挿通させる正規の設置位置からずらした位置に一旦仮置きし、ワイヤなどを外した後に、正規の設置位置に手作業で移動させることになる。よって、作業に手間がかかり、工期およびコストの増加を招く。
【０００５】
一方、床パネルを正規の設置位置に運搬後に、床パネルにボルトを貫通させて床梁に締結する場合には、下記の問題が生じる。
すなわち、図７に示すように、作業者０１が、床パネル０２の上側でボルト０３の頭部を回転させて床梁０４等の躯体に締結する場合、ナットがボルトに連れ回るのを止める必要がある。この場合、作業者０１が一人で締結作業を行う場合、図示のように手を床パネル０２の下面に回して、ナットがボルトに連れ回るのを止めることになる。
このため、ボルト０３を床パネル０２の幅方向の中央に設けた場合、ボルト０３の設置位置が、上記のように作業者０１が手を回すことのできる位置に限られ、床パネル０２の幅寸法が、中央に手が届く大きさに限られる。しかも、この締結作業時に、作業者０１は、図示のように床パネル０２から身を乗り出すことになり、特に、２階や３階に床パネル０２を敷設する場合には、作業者０１の安全性を確保する手段が必要になる。
【０００６】
また、上記問題を解決するためには、作業者０１、０１を、床パネル０２の上側と下側との両方に配置し、二人で連携して作業することになる。しかしながら、この場合には、必要な人手が増し、加えて、上階と下階とで、締結操作の開始や終了の連携を取りながらの作業となるため、手間および時間も要し、工期およびコストの増加を招く。
【０００７】
本開示は、上述の従来の問題点に着目してなされたもので、床パネルの片側からの作業によるボルトの締結を可能とすることで、床パネルの寸法上の自由度を向上できるとともに、作業の安全性を高めることができ、しかも、工期およびコストを抑制可能な床パネル締結構造および床パネルボルト締結方法を提供することを目的としている。
【課題を解決するための手段】
【０００８】
前記目的を達成するために、本開示の床パネル締結構造は、床パネルに挿通したボルトと、前記ボルトのネジ部にかみ合わされたナットとを用いて前記床パネルを建物の躯体に締結する床パネル締結構造であって、前記床パネルを上下に貫通して形成され、前記ボルトのネジ部を貫通させるボルト貫通孔と、このボルト貫通孔の軸方向の一端で前記ボルトの頭部を収容可能に形成された座堀穴と、を備え、前記座堀穴と前記ボルトの頭部との間には、前記頭部の回転を規制する回転規制構造を備える床パネル締結構造とした。
【０００９】
また、本開示の床パネルボルト締結方法は、下記のステップを実行する。
前記頭部および前記座金を前記座堀穴に配置して前記ボルトの前記ネジ部を前記床パネルの前記ボルト貫通孔に貫通させ、前記床パネルの下側に突出した前記ネジ部に前記固定プレートを装着した後、前記固定プレートの下側から前記ネジ部にナットを装着し、さらに、前記固定プレートを前記非係合位置に配置するステップ。
前記床パネルを、前記躯体の所定の設置位置に配置するステップ。
前記固定プレートを、前記床パネルの下側から前記ネジ部に対して前記係合位置に回転させ、さらに、前記ナットを締結方向に回転させて、前記座金の外周と前記座堀穴の内周とが干渉して前記頭部の回転を規制させながら締結し、前記床パネルを前記躯体に固定するステップ。
【発明の効果】
【００１０】
本開示の床パネル締結構造および床パネルボルト締結方法では、床パネルの上下の片側からの作業によるボルトの締結を可能として、床パネルの寸法上の自由度を向上できるとともに、作業の安全性を高めることができ、しかも、工期およびコストを抑制可能である。
【図面の簡単な説明】
【００１１】
【図１】実施の形態１の床パネル２０を床梁１２、１２に架け渡した状態を示す斜視図である。
【図２】実施の形態１の床パネル締結構造に用いる床パネル２０の要部を示す断面図である。
【図３】実施の形態１の床パネル締結構造に用いるボルト３０における座金３２の偏心量の説明図である。
【図４Ａ】実施の形態１の床パネル締結構造における座金３２と座堀穴２２との関係を示す説明図である。
【図４Ｂ】実施の形態１の床パネル締結構造における座金３２と座堀穴２２との関係を示す説明図である。
【図５】実施の形態１の床パネル締結構造における床パネル２０の運搬時を示す斜視図である。
【図６Ａ】実施の形態１の床パネル締結構造を適用する床パネル２０を床梁１２の所定の設置位置に運搬した状態の説明図である。
【図６Ｂ】実施の形態１の床パネル締結構造を適用する床パネル２０から吊下金具５０を取り外してボルト３０の頭部３１および座金３２が座堀穴２２に進入した状態の説明図である。
【図６Ｃ】実施の形態１の床パネル締結構造によりボルト３０を締結して床パネル２０を床梁１２に固定した状態の説明図である。
【図７】実施の形態１の床パネル締結構造の解決課題の説明図である。
【発明を実施するための形態】
【００１２】
以下、本開示による床パネル締結構造および床パネルボルト締結方法を実現する実施の形態を、図面に基づいて説明する。
実施の形態１の床パネル締結構造および床パネルボルト締結方法は、図１に示す建物１の床ＦＬを形成する床パネル２０の固定に用いる。
【００１３】
床パネル２０は、建物１の床梁１２、１２に架け渡された状態で設置される。なお、床梁１２としては、溝形鋼などを使用することができるもので、本実施の形態１では、上フランジ１２ａおよび下フランジ１２ｂを有するＨ型鋼を用いる。
【００１４】
（床パネルの固定構造の説明）
次に、床パネル２０を床梁１２に固定する構造について説明する。
床パネル２０は、図１に示すように、床梁１２、１２に架け渡すことができる長さを有する長方形の板状に形成され、床梁１２に沿う方向に複数枚並列に並べて床ＦＬが形成される。そして、床パネル２０には、長手方向両端に、図２に示すボルト３０のネジ部３３を上下に貫通させるためのボルト貫通孔２１が上下方向に貫通して形成されている。なお、床パネル２０の材質は、特に限定されるものではなく、プレキャストコンクリートパネルや木質系のパネルなど、公知のものを用いることができる。本実施の形態１では、床パネル２０として、軽量気泡コンクリートパネル（ＡＬＣパネル）を用いている。
【００１５】
ボルト貫通孔２１は、床パネル２０の長手方向では、床梁１２、１２に架け渡した際に、床梁１２の上フランジ１２ａよりも内側に位置するように配置されている。また、床パネル２０の長手方向に直交する幅方向では、床パネル２０の中央に配置されている（図１参照）。さらに、ボルト貫通孔２１の上端部には、後述するボルト３０の頭部３１と座金３２とを収容可能な凹状の座堀穴２２が形成されている。
【００１６】
座堀穴２２およびボルト貫通孔２１は、図４Ａ、図４Ｂに示すように、上方から見て円形に形成され、さらに、図２に示すように、座堀穴２２の中心軸ｃ２２が、ボルト貫通孔２１の中心軸ｃ２１に対して、位置を軸直交方向にずらして、すなわち偏心して形成されている。詳細には、座堀穴２２は直径６０ｍｍ程度、深さ１０ｍｍ程度の寸法であり、ボルト貫通孔２１は、直径が１５ｍｍ程度であり、その中心軸は、座堀穴２２の中心軸から７ｍｍ程度ずらして配置されている。また、座堀穴２２は、その深さが後述するボルト３０の頭部３１と座金３２とを足し合わせた上下方向寸法よりも大きな寸法に形成されている。
【００１７】
床パネル２０の床梁１２への固定は、ボルト貫通孔２１に挿通されたボルト３０と、このボルト３０の下端部に支持された固定プレート４０およびナット３４と、によりに行うもので、以下にその詳細を説明する。
ボルト３０は、図３に示すように、六角形の頭部３１の下に、内側に穴３２ａが開口されたドーナツ円盤状の座金３２が設けられている。なお、座金３２は、頭部３１とネジ部３３の一方あるいは両方に溶接により固定されている。そして、頭部３１とネジ部３３とは、ボルト３０の中心軸ｃ３０として同軸に形成されているのに対し、座金３２は、その中心軸ｃ３２が、ボルト３０の中心軸ｃ３０とは軸直交方向にずらして配置されている。具体的には、ネジ部３３は、直径１０ｍｍ程度であり、座金３２は、外径が５０ｍｍ程度、内側の穴３２ａの内径が１５ｍｍ程度である。そして、座金３２の穴３２ａの内周面が、ネジ部３３の基端部の外周に接してボルト３０に固定されて、座金３２の中心軸ｃ３２が、ボルト３０の中心軸ｃ３０から２．５ｍｍ程度偏心されている。
【００１８】
ボルト３０における座金３２の外径寸法および座金３２の偏心量と、座堀穴２２の内径寸法および偏心量とは、以下の関係となるように設定されている。すなわち、ネジ部３３をボルト貫通孔２１に挿通させた状態で頭部３１および座金３２を座堀穴２２に収容可能としつつ、ボルト３０を回転させたときには、回転途中で座金３２の外周と座堀穴２２の内周とが干渉してボルト３０の回転を規制するよう設定されている。このため、図４Ａに示すように、ネジ部３３の中心軸ｃ３０から座金３２の最も遠い外周位置までの寸法ｍａ３２と比較して、座堀穴２２のボルト貫通孔２１の中心軸ｃ２１から最も遠い内周位置までの寸法ｍａ２２の方が大きく、中心軸ｃ２１から最も近い内周位置までの寸法ｍｉ２２の方が小さく形成されている。
【００１９】
床パネル２０の固定のために、図６Ａに示すように床パネル２０の下方に突出したボルト３０のネジ部３３に固定プレート４０を装着した上でナット３４をかみ合わせている。
固定プレート４０は、金属板材により形成され、基部４１と、この基部４１よりも下方に位置する係合片部４２とにより二段の階段状に形成されている。基部４１には、ボルト３０のネジ部３３を挿通するボルト挿通穴４１ａが形成されている。よって、固定プレート４０は、ナット３４の締結時に、ナット３４と一体的にネジ部３３に沿って移動する。
【００２０】
そして、基部４１は、ボルト３０のネジ部３３に、回転可能に装着されている。また、基部４１は、ネジ部３３に装着した状態で、床梁１２の上フランジ１２ａと上下方向に干渉しない大きさに形成されている。
【００２１】
係合片部４２は、基部４１から外径方向に延び、基部４１を床パネル２０の裏面に当接させた状態で、床梁１２の上フランジ１２ａの下面に当接可能に、段差（基部４１に対する軸方向の位置）および外径方向の長さが設定されている。すなわち、固定プレート４０は、基部４１をネジ部３３に対して回転させることで、図６Ａ、図６Ｂに示すように床パネル２０を床梁１２に架け渡した際に床梁１２と上下方向で係合しない非係合位置と、図６Ｃに示すように上下方向で係合する係合位置とに移動可能に装着されている。
【００２２】
したがって、床パネル２０を床梁１２に固定する際には、図６Ｂに示すように、ボルト３０の頭部３１および座金３２は、座堀穴２２に収容する。そして、図６Ｃに示すように、固定プレート４０を、係合片部４２が床梁１２の上フランジ１２ａの下方に位置する係合位置として、ナット３４を締結することで、床パネル２０と係合片部４２との間に上フランジ１２ａを挟み込み、同時に、固定プレート４０の基部４１が、上フランジ１２ａに近接して配置される。これにより、床パネル２０が、床梁１２に対して上下方向および床パネル２０の長手方向へ移動するのが規制されて床梁１２に固定することができる。
【００２３】
ボルト３０は、本実施の形態１では、床パネル２０の運搬にも利用する。
すなわち、床パネル２０の運搬時には、図６Ａに示すように、吊下金具５０をボルト３０の座金３２の下面と床パネル２０の表面２０ａとの間に差し込み係合させる。そして、この吊下金具５０を、クレーンなどの吊上装置の吊具１００に引っ掛けて、床パネル２０を建物１の床梁１２、１２に架け渡した所定の設置位置まで運搬する。
【００２４】
ここで、吊下金具５０について簡単に説明する。
吊下金具５０は、金属製の板材により形成され、図５に示すように、矩形のボルト係合片５１と矩形の吊下片５２とで山形断面形状に形成されている。すなわち、ボルト係合片５１を水平に位置させた際に、吊下片５２が斜めに立ち上がる形状に形成されている。
【００２５】
ボルト係合片５１は、ネジ部挿通穴５１ａが形成されている。このネジ部挿通穴５１ａは、吊下片５２側の端縁の開口端から、ボルト係合片５１の中央位置まで形成され、かつ、ボルト３０のネジ部３３を挿入可能な幅である一方、頭部３１および座金３２の直径よりも小さな幅に形成されている。
【００２６】
吊下片５２は、頭部挿通穴５２ａと係止穴５２ｂとが形成されている。頭部挿通穴５２ａは、ボルト係合片５１に連続する端縁部にネジ部挿通穴５１ａに連続して形成され、かつ、ボルト３０の頭部３１および座金３２を挿通可能な大きさの矩形状に開口されている。係止穴５２ｂは、吊下片５２の中央から、僅かにボルト係合片５１から離れた位置に円形状に開口されている。
【００２７】
次に、床パネル２０を、図１に示すように、床梁１２、１２に架け渡し、所定の設置位置に配置した後に、床パネル２０を床梁１２、１２に固定する手順を説明する。
【００２８】
まず、床パネル２０に、ボルト３０および固定プレート４０を装着する。この場合、ボルト３０の頭部３１および座金３２を上にしてネジ部３３を、図６Ａに示すように、床パネル２０のボルト貫通孔２１に上方から貫通させる。
【００２９】
次に、ネジ部３３に固定プレート４０を装着する。すなわち、ボルト貫通孔２１の下端から突出したネジ部３３を基部４１のボルト挿通穴４１ａに挿通させる。さらに、固定プレート４０の下に、ネジ部３３の先端側からナット３４をかみ合わせて装着する。
このナット３４の装着位置は、ボルト３０を床パネル２０から引き上げて固定プレート４０を床パネル２０の裏面に当接させると、座金３２と床パネル２０の表面２０ａとの間に、吊下金具５０のボルト係合片５１を差し込み可能な隙間を形成する位置とする。また、固定プレート４０は、非係合位置に配置する。
【００３０】
次に、座金３２と床パネル２０の表面２０ａとの間に、吊下金具５０を差し込みボルト３０に係合させる。そして、吊下金具５０の吊下片５２の係止穴５２ｂに、図外のクレーンなどの吊上装置の吊具１００を引っ掛け、建物１の床梁１２、１２に架け渡した所定の設置位置に運搬する。すなわち、床パネル２０に紐掛けを行っていないため、床パネル２０は、床梁１２の所定の設置位置に直接配置することができる。また、このとき、固定プレート４０は、非係合位置に配置しているため、床梁１２の上フランジ１２ａと干渉することなく、床パネル２０を床梁１２に架け渡すことができる。
【００３１】
次に、ボルト３０から吊下金具５０を取り外す。ここで、吊下金具５０を取り外すと、ボルト３０は、自重により下方に移動し、図６Ｂに示すように、頭部３１および座金３２が、座堀穴２２に収容された状態となるとともに、固定プレート４０は、床梁１２の上フランジ１２ａよりも低い位置に下がる。
【００３２】
次に、固定プレート４０およびナット３４による締結作業を行うが、この締結作業は、床パネル２０の下方からの作業となる。例えば、床パネル２０を２階の床ＦＬとして設置する場合は、１階からの作業となる。
【００３３】
この締結作業では、まず、固定プレート４０を、ボルト３０を中心として、図６Ａに示す非係合位置から図６Ｃに示す係合位置に回転させ、係合片部４２を、床梁１２の上フランジ１２ａの下方に配置させる。なお、この時点では、係合片部４２は、上フランジ１２ａの下方に離れている。
【００３４】
次に、ナット３４を締結方向に回転させ、頭部３１と、ナット３４および固定プレート４０との間隔を狭め、図６Ｃに示すように、床梁１２の上フランジ１２ａを、床パネル２０の下面と係合片部４２との間に挟み込んで、床パネル２０を固定する。
【００３５】
このようにナット３４を下側から締結方向に回転させた際には、最初は、ネジ部３３との摩擦抵抗によりボルト３０も連れ回る。したがって、図４Ａに示すように、ボルト３０の中心軸ｃ３０と座金３２の外周との間隔が大きな寸法ｍａ３２の箇所が、座堀穴２２においてボルト貫通孔２１の中心軸ｃ２１と内周との寸法ｍａ２２が大きな箇所に位置する場合は、座金３２が座堀穴２２に対して回転する。
【００３６】
しかし、その後、ボルト３０の中心軸ｃ３０と座金３２の外周との間隔が大きな寸法ｍａ３２の箇所が、図４Ｂに示すように、ボルト貫通孔２１の中心軸ｃ２１と内周との間隔が狭まっている箇所（寸法ｍｉ２２の箇所）に近づくと、座金３２の外周が、座堀穴２２の内周に干渉し、この時点からボルト３０の連れ回りが規制され、ナット３４をネジ部３３に対して回転させて締結させることができる。これにより、床パネル２０を床梁１２に固定することができる。
【００３７】
このように、作業者が一人で床パネル２０の下方からナット３４を締結して、床パネル２０を床梁１２に固定することができる。したがって、図７のように作業者０１が、両手で、床パネル２０の上下でボルト３０およびナット３４に手を伸ばす必要がなく、床パネル２０の寸法上の制約を与えることがないとともに、作業者の落下に対する安全性の担保が不要である。また、床パネル２０の寸法が大きくなっても、床パネル２０の上下のそれぞれで、作業者が必要になることがなく、作業性に優れ、工期およびコストの削減が可能となる。
【００３８】
（実施の形態の効果）
以下に、本実施の形態１の床パネル締結構造の効果を列挙する。
（１）実施の形態１の床パネル締結構造は、床パネル２０を頭部３１を上に貫通したボルト３０と、床パネル２０の下方に突出したボルト３０のネジ部３３にかみ合わされたナット３４とを用いて床パネル２０を建物の躯体としての床梁１２に締結する床パネル締結構造である。そして、床パネル２０を上下に貫通して形成され、ボルト３０のネジ部３３を貫通させるボルト貫通孔２１と、このボルト貫通孔２１の上端にボルト３０の頭部３１を収容可能に形成された座堀穴２２と、を備え、座堀穴２２とボルト３０の頭部３１との間には、頭部３１の回転を規制する回転規制構造を備える。
したがって、ナット３４を締結する際に、ボルト３０が連れ回りするのを回転規制構造により規制し、床パネル２０において、ナット３４が設けられている側からの作業のみで締結が可能となる。よって、床パネル２０の上下の一方からの作業によるボルト３０の締結を可能として、床パネル２０の寸法上の自由度を向上できるとともに、作業の安全性を高めることができる。しかも、床パネル２０の上下に作業者を配置して連携して作業を行う場合と比較して、工期およびコストを抑制可能である。
【００３９】
（２）実施の形態１の床パネル締結構造の回転規制構造は、ボルト３０の頭部３１に偏心して設けられた座金３２と、ボルト貫通孔２１に偏心して設けられた座堀穴２２と、から成り、かつ、座堀穴２２は、ネジ部３３をボルト貫通孔２１に貫通させた状態で頭部３１および座金３２を収容可能であり、かつ、両偏心量は、ボルト３０の回転時に、座金３２の外周が座堀穴２２の内周に干渉して回転を規制可能に設定されている。
したがって、座金３２をボルト３０に対して偏心させるとともに、座堀穴２２をボルト貫通孔２１に対して偏心させた単純な構成により、ボルト３０の回転を規制できる。よって、座堀穴２２に、頭部３１に係合するストッパなどの別部材を設けるものと比較して、安価に上記（１）の効果を得ることができる。
【００４０】
（３）実施の形態１の床パネル締結構造は、ボルト貫通孔２１およびボルト３０は、水平方向で躯体としての床梁１２とは重ならない位置に設けられ、ネジ部３３には、ナット３４の締結方向に隣接して固定プレート４０が装着されている。そして、固定プレート４０は、ネジ部３３に沿って移動可能に形成され、かつ、床梁１２と係合可能な係合部としての係合片部４２を備えるとともに、係合片部４２が床梁１２に係合する係合位置と、床梁１２に係合しない非係合位置とに、ネジ部３３を中心に回転可能に設けられている。
したがって、ボルト３０を、床梁１２に貫通して形成した穴に挿通させた後にナット３４を締結するものと比較して、床パネル２０の設置の際に、ボルト３０を穴に挿通させる作業が不要であり、作業性に優れる。
【００４１】
（４）実施の形態１の床パネル締結構造では、座金３２には軸心部に、前記ネジ部３３よりも大径の穴３２ａが開口され、前記穴３２ａの内周をネジ部３３の基端部の外周に当接させた状態でボルト３０に溶接されている。
したがって、座金３２の偏心量の設定が容易であり、製造性に優れる。
【００４２】
（５）実施の形態１の床パネル締結構造では、ボルト３０を床パネル２０の運搬に利用して、床パネル２０の玉掛作業を省略できるようにした。これによっても、工期およびコストの低減を図ることができる。
【００４３】
（６）実施の形態１の床パネルボルト締結方法は、以下のステップを実行する。
頭部３１および座金３２を座堀穴２２に配置してボルト３０のネジ部３３を床パネル２０のボルト貫通孔２１に貫通させ、床パネル２０の下側に突出したネジ部３３に固定プレート４０を装着した後、固定プレート４０の下側からネジ部３３にナット３４を装着し、さらに、固定プレート４０を非係合位置に配置するステップ。
床パネル２０を、建物１の床梁１２の所定の設置位置に配置するステップ。
固定プレート４０を、床パネル２０の下側からネジ部３３に対して係合位置に回転させ、さらに、ナット３４を締結方向に回転させて、座金３２の外周と座堀穴２２の内周とが干渉して頭部３１の回転を規制させながら締結し、床パネル２０を床梁１２に固定するステップ。
したがって、ナット３４の回転時に、ボルト３０の頭部３１および座金３２が連れ回るのを、上から抑えることなく規制できるため、ボルト３０の締結を行う際に、床パネル２０の下方からの作業のみで行うことができる。よって、図７により説明したように、一人の作業者０１が、手を床パネル０２の上下に伸ばしてナットがボルトに連れ回るのを止めることや、二人の作業者０１、０１が床パネル０２の上下に分かれて連携して作業を行う必要がなくなる。よって、作業の手間および時間を短縮し、工期およびコストの低減を図ることができるとともに、作業者０１の安全性の確保も容易となる。
【００４４】
以上、本開示の床パネル締結構造および床パネルボルト締結方法を実施の形態に基づいて説明してきた。しかし、本開示の床パネル締結構造の具体的な構成については、これらの実施の形態に限られるものではなく、特許請求の範囲の各請求項の要旨を逸脱しない限り、各実施の形態の組み合わせ、設計の変更や追加などは許容される。
【００４５】
例えば、実施の形態では、床パネル締結構造および床パネルボルト締結方法を、鉄骨造の建物１に適用した例を示した。しかし、この床パネル運搬方法は、要は、床パネルを床梁に掛け渡すものであれば、在来工法の建物やユニット建物にも適用可能である。
【００４６】
また、実施の形態では、ナット３４の締結時にボルト３０の回転を規制する回転規制構造として、ボルト３０に偏心させた座金３２と、ボルト貫通孔２１に偏心させた座堀穴２２とが、相対回転した際に座金３２の外周と座堀穴２２の内周とが当接して回転規制するものを示したが、これに限定されない。例えば、ボルト３０の頭部３１や座金３２から外周方向に突出させた係合片と、座堀穴２２に設けたストッパなどのように、頭部３１が回転した際に、ある位置で、両者が係合して回転を規制する構造を用いることもできる。
【００４７】
また、実施の形態では、ボルト３０に吊下金具５０を係合させて運搬するようにした例を示したが、これに限定されず、いわゆる玉掛をして運搬するようにしてもよい。その場合、ボルト３０は、床パネル２０の運搬後に床パネル２０に対して貫通させるようにしてもよい。
【００４８】
また、実施の形態では、固定プレート４０を用いて床パネル２０を固定する例を示したが、床パネル２０を固定する構造はこれに限定されない。例えば、ボルト３０を床梁１２などの躯体に形成した穴を貫通させて、この貫通したボルト３０のネジ部３３にナット３４を締結して床パネル２０を固定する構造としてもよい。この場合も、床パネル２０の下方からナット３４を締結する際に、頭部３１および座金３２の回転を規制して締結させることが可能である。あるいは、実施の形態で示した固定プレート４０とは異なる形状のものを用いてもよい。
【符号の説明】
【００４９】
１２   床梁（躯体）
１２ａ 上フランジ
２０   床パネル
２１   ボルト貫通孔
２２   座堀穴
３０   ボルト
３１   頭部
３２   座金
３３   ネジ部
３４   ナット
４０   固定プレート
４２   係合片部（係合部）
ｃ２１ （ボルト貫通孔２１の）中心軸
ｃ２２ （座堀穴２２の）中心軸
ｃ３０ （ボルト３０（頭部３１およびネジ部３３）の）中心軸
ｃ３２ （座金３２の）中心軸
ｃ３３ 中心軸
ＦＬ   床
【図１】
2020193496.tif 000003
【図２】
2020193496.tif 000004
【図３】
2020193496.tif 000005
【図４Ａ】
2020193496.tif 000006
【図４Ｂ】
2020193496.tif 000007
【図５】
2020193496.tif 000008
【図６Ａ】
2020193496.tif 000009
【図６Ｂ】
2020193496.tif 000010
【図６Ｃ】
2020193496.tif 000011
【図７】
2020193496.tif 000012